(57)【要約】【課題】物品の表面を簡単な構成で確実に保護する。【解決手段】加熱して軟化させたフィルム２を物品１に被せてフィルム２の片面側からバキュームすることにより物品１の表面にフィルム２を真空密着させている。物品１のバキューム側の一端部所定領域が露出しており、物品１の主たるフィルム密着保持面である長辺側の側面１３がバキューム方向に対して側方に位置するようにして、前記一端部所定領域の露出部を除く物品１の表面全体にフィルム２が密着保持されている。【選択図】図１
2013252894.tif 000002
【特許請求の範囲】
【請求項１】
加熱して軟化させたフィルムを物品に被せてフィルムの片面側からバキュームすることにより物品表面にフィルムを真空密着させたフィルム被覆物品であって、
物品のバキューム側の一端部所定領域が露出しており、
物品の主たるフィルム密着保持面がバキューム方向に対して側方に位置するようにして、前記一端部所定領域の露出部を除く物品の表面全体にフィルムが密着保持されていることを特徴とするフィルム被覆物品。
【請求項２】
物品は、操作部又は他の部材との接続部を備えており、該操作部又は接続部が前記露出部に位置している請求項１記載のフィルム被覆物品。
【請求項３】
バキューム側とは反対側の物品の他端部が物品の底部である請求項２記載のフィルム被覆物品。
【請求項４】
バキューム側の一端部においてフィルムの内面同士が密着した内面密着部が形成されている請求項１乃至３の何れかに記載のフィルム被覆物品。
【請求項５】
フィルムの少なくとも内面がポリオレフィン系樹脂から構成されている請求項１乃至４の何れかに記載のフィルム被覆物品。
【請求項６】
フィルムが多層構造であって、その内層がポリエチレン系樹脂フィルムから構成され、該内層の外側に補強層を備えている請求項５記載のフィルム被覆物品。
【請求項７】
フィルムが内層と外層と一又は複数の中間層からなる多層構造であり、内層と外層がポリエチレン系樹脂フィルムから構成され、中間層に前記補強層が使用されており、該補強層が前記ポリエチレン系樹脂フィルムよりも薄いポリアミド系樹脂フィルムから構成されている請求項６記載のフィルム被覆物品。
【発明の詳細な説明】
【技術分野】
【０００１】
本発明は、各種の物品の表面にフィルムが真空密着したフィルム被覆物品に関する。
【背景技術】
【０００２】
従来より物品の表面を保護する手法には様々なものがあり、例えば物品の表面を塗装するという手法も多く採用されているが、塗膜の剥がれという問題があるうえに、そもそも塗装には適していない物品も多い。これに対して下記特許文献１ではフィルムで物品を被覆するという手法が提案されている。該手法は、腕時計を支持体の上に載せ、加熱して軟化させたフィルムを腕時計の上から被せてフィルムを下面側から支持体を介してバキュームすることにより、フィルムを腕時計の上面に密着させる。フィルムは腕時計と共に支持体の側面も同時に覆っており、支持体の側面下端位置でフィルムをカットし、支持体からフィルムを上方に抜くようにしてフィルム付きの腕時計を支持体から上方に離し、腕時計の下方に垂れ下がったフィルムの下部を折り畳んで腕時計の裏面を覆うようにしている。
【０００３】
しかしながら、支持体の側面を覆うフィルムの下部が腕時計の裏面を覆うための折り曲げ用フラップとなる構成であるので、支持体の側面からフィルムが上方に容易に抜ける必要がある。これは即ち、支持体の側面にはフィルムを強く密着させていないということであり、それに伴って腕時計の側面に対するフィルムの密着力も弱いという問題がある。密着力が弱いと、例えば水等も浸入しやすくなり、物品の表面が空気に触れることから物品の表面が腐食されやすくなる。何れにしても、物品の表面の保護が十分ではなくなる。
【先行技術文献】
【特許文献】
【０００４】
【特許文献１】特表２００９−５３０２０７号公報
【発明の概要】
【発明が解決しようとする課題】
【０００５】
それゆえに本発明は上記従来の問題点に鑑みてなされ、物品の表面を簡単な構成で確実に保護することを課題とする。
【課題を解決するための手段】
【０００６】
本発明は、上記課題を解決すべくなされたものであって、本発明に係るフィルム被覆物品は、加熱して軟化させたフィルムを物品に被せてフィルムの片面側からバキュームすることにより物品表面にフィルムを真空密着させたフィルム被覆物品であって、物品のバキューム側の一端部所定領域が露出しており、物品の主たるフィルム密着保持面がバキューム方向に対して側方に位置するようにして、前記一端部所定領域の露出部を除く物品の表面全体にフィルムが密着保持されていることを特徴とする。
【０００７】
ここで、主たるフィルム密着保持面とは、物品表面において投影面積が大きい部分であって、該主たるフィルム密着保持面がバキューム方向に対して側方に位置することで、加熱して軟化したフィルムはバキューム側に向けて大きく引っ張られながら伸張することになる。即ち、フィルムはバキューム方向に深絞りの状態に引き伸ばされることになり、その引き伸ばされて伸張状態となったフィルムの部分が主たるフィルム密着保持面に真空密着することになる。例えば、物品が直方体である場合、六面のうちで最も広い面積を有する面が主たるフィルム密着保持面となる。該主たるフィルム密着保持面がバキューム側の一端部や他端部に位置するのではなく、バキューム方向に対して側方に位置するようにする。また、バキューム側とは反対側の他端部側のフィルムの厚さに対して、バキューム側の一端部側のフィルムの厚さが薄くなるので、露出部近傍において高い密着性が得られる。露出部はバキューム口でありフィルムの開口部でもあるので、その近傍はフィルムが物品表面から剥がれやすい部分であるが、一端部側のフィルムの厚さが他端部側に比して薄くなっていると共にフィルムが伸張状態で主たるフィルム密着保持面に密着しているので露出部近傍において高い密着性が得られる。
【０００８】
特に、物品が操作部又は他の部材との接続部を備え、該操作部又は接続部が前記露出部に位置していることが好ましい。物品の操作部や接続部が露出部に位置していると、フィルムを部分的に剥がしたり切除したりする必要がなく、操作部を容易に操作することができ、接続部に他の部材を容易に接続することができる。
【０００９】
更に、バキューム側とは反対側の物品の他端部が物品の底部であることが好ましい。上述したようにフィルムの厚さは他端部において最も厚くなる。従って、物品の他端部を物品の底部とすることによりその底部におけるフィルムの厚さが厚くなって、物品を載置しても底部のフィルムが破れにくい。
【００１０】
また、バキューム側の一端部においてフィルムの内面同士が密着した内面密着部が形成されていることが好ましい。内面密着部が形成されていることにより、露出部から水等が入り込みにくくなるうえに、露出部近傍におけるフィルムの剥離も確実に防止できる。
【００１１】
一方、フィルムの少なくとも内面がポリオレフィン系樹脂から構成されていることが好ましく、物品表面への高い密着性が得られる。
【００１２】
その場合特に、フィルムが多層構造であって、その内層がポリエチレン系樹脂フィルムから構成され、該内層の外側に補強層を備えていることが好ましい。ポリエチレン系樹脂フィルムからなる単層構造とすることもできるが、ポリエチレン系樹脂フィルムからなる内層の外側に補強層を備えた多層構造とすることで、物品表面への高い密着性を確保しつつ破れにくくすることができる。
【００１３】
更に、フィルムが内層と外層と一又は複数の中間層からなる多層構造であり、内層と外層がポリエチレン系樹脂フィルムから構成され、中間層に前記補強層が使用されており、該補強層が前記ポリエチレン系樹脂フィルムよりも薄いポリアミド系樹脂フィルムから構成されていることが好ましい。内層と外層が何れもポリエチレン系樹脂フィルムから構成されることで、フィルムの両面の何れも内側として使用することができ、フィルムの表面、裏面の管理が不要となる。しかも、補強層を内外二つのポリエチレン系樹脂フィルムでサンドイッチすることで、ポリエチレン系樹脂フィルムに比して伸びにくい補強層が両ポリエチレン系樹脂フィルムの伸張に伴ってスムーズに伸びることになり、皺等も生じにくくなる。更に、補強層としてポリアミド系樹脂フィルムを使用することで全厚の薄いフィルムを使用しても破れにくくなり、しかも、ポリエチレン系樹脂フィルムよりも薄いポリアミド系樹脂フィルムを使用することでフィルムの加熱時間も短縮できる。
【発明の効果】
【００１４】
以上のように、本発明に係るフィルム被覆物品は、バキューム側の露出部を除いて物品の表面全体がフィルムで被覆されているので、物品表面を容易且つ確実に保護することができ、防水性や防錆性にも優れている。しかも、主たるフィルム密着保持面がバキューム方向に対して側方に位置しているので、主たるフィルム密着保持面がバキューム方向の一端部や他端部に位置している場合に比して高いフィルムの密着性が得らる。
【図面の簡単な説明】
【００１５】
【図１】本発明の一実施形態におけるフィルム被覆物品を示す斜視図。
【図２】本発明の一実施形態におけるフィルム被覆物品を示す図１のＡ−Ａ線における断面図。
【図３】同実施形態におけるフィルム被覆物品を示す図１のＢ−Ｂ線における断面図。
【図４】同実施形態におけるフィルム被覆物品を示す図１のＣ−Ｃ線における断面図。
【図５】同実施形態におけるフィルム被覆物品に使用されているフィルムの拡大断面図。
【図６】本発明の他の実施形態におけるフィルム被覆物品を示す断面図。
【図７】本発明の他の実施形態におけるフィルム被覆物品を示す正面図。
【図８】本発明の他の実施形態におけるフィルム被覆物品を示す正面図。
【図９】本発明の他の実施形態におけるフィルム被覆物品を示す斜視図。
【発明を実施するための形態】
【００１６】
以下、本発明の一実施形態に係るフィルム被覆物品について図１〜図５を参酌しつつ説明する。図１に被覆対象物の物品である電池１がフィルム２によって被覆されたフィルム被覆物品を示しており、該電池１は直方体形状に形成されている。即ち、電池１は、上面１０と底面１１（底部）、四つの側面１２、１３を備えており、上面１０には他の部材との接続部である端子１４が一対上方に向けて突設されている。上面１０及び底面１１は短辺と長辺とを備えており、従って、四つの側面１２、１３は短辺側の側面１２と長辺側の側面１３とからなる。短辺の長さＸと長辺の長さＹと高さＺとの関係は、Ｘ＜Ｚ＜Ｙとなっている。従って、面積の大きい順に、長辺側の側面１３、上面１０及び底面１１、短辺側の側面１２となっている。尚、この電池１は長辺側の側面１３同士を対向させるようにしながら短辺方向に沿って複数個並べられて使用され、例えば車載用や不動産等の定置用として使用される。
【００１７】
本実施形態のフィルム被覆物品は、図１に示した電池１のほぼ全体が一枚のフィルム２によって被覆されたものである。即ち、図２〜図４に示すように、電池１は、一対の端子１４の上端部を除く他の部分の全体がフィルム２によって被覆されている。従って、電池１の底面１１及び四つの側面１２の全体にフィルム２が密着しており、更に、電池１の上面１０の略全体にもフィルム２が密着している。尚、図面においてはフィルム２が判別しやすいように電池１の表面からフィルム２を離して図示しているが、実際上は電池１の表面とフィルム２との間には隙間が存在せずにフィルム２は電池１の表面に密着している。後述する図６〜図９についても同様である。そして、図２及び図４に示すように端子１４の側面１５にもフィルム２が密着している。但し、端子１４の上面１６にはフィルム２が被覆されておらず露出している。即ち、本実施形態において端子１４の上面１６が露出部となっている。また、電池１の上面１０より上方において、端子１４が存在していない箇所においては図１、図３及び図４のようにフィルム２の内面同士が密着した内面密着部１７が形成されている。図４において内面密着部１７の箇所を多数のドットを付して示している。このように電池１の六つの面のほぼ全体にフィルム２が密着しているが、最大面積を有している長辺側の側面１３が主たるフィルム２密着保持面となっている。
【００１８】
かかるフィルム被覆物品は、加熱により軟化したフィルム２を電池１に被せてバキュームすることにより形成される。具体的には、端子１４が下を向き底面１１が上を向くように電池１を天地逆向きとし、その上に一枚のフィルム２を配置して加熱軟化させる。尚、電池１は吸引孔を有する支持台の上に載置することが好ましい。そして、軟化したフィルム２を相対的に電池１に接近させて電池１の上から被せるようにする。即ち、フィルム２を降下させてもよいし、電池１を上昇させてもよいし、フィルム２を降下させつつ電池１を上昇させてもよい。何れにしても、フィルム２を相対的に電池１に接近させることでフィルム２は最初に電池１の底面１１に接触する。そして、フィルム２を相対的に電池１に接近させることと共に空気を下側にバキュームする。即ち、バキューム方向は上下方向であって、端子１４を有する上面１０側をバキューム側とする。尚、支持台が吸引孔を有していれば、支持台を介して効率良くバキュームすることができる。軟化したフィルム２が電池１の底面１１に接触した状態でバキュームすると、フィルム２は電池１の底面１１を起点として下側に向かって引き伸ばされる。そして、長辺側の側面１３がバキューム方向に対して側方に位置しているのでフィルム２は深絞り状態に引き伸ばされ、伸張状態で電池１の側面１２、１３に密着すると共に電池１の側面１２、１３から上面１０にスムーズに回り込んでその上面１０並びに端子１４の側面１５にも密着する。尚、フィルム２が引き伸ばされ難い場合は、さらに側面から加熱しながら引き伸ばして密着させてもよい。
【００１９】
このようにフィルム２が引き伸ばされた状態で電池１の側面１２、１３や上面１０に不離一体に密着しているので、電池１の底面１１におけるフィルム２の厚さよりも電池１の側面１２、１３や上面１０におけるフィルム２の厚さが薄くなる。具体的には、被覆前のフィルム２の厚みに対し、被覆後の底面１１のフィルム厚みは７０％〜９０％程度、側面１２、１３のフィルム厚みは、３０％〜６５％程度になる。従って、電池１の側面１２、１３や上面１０においては引き伸ばされた薄いフィルム２により被覆されることになるので高い密着性が得られる。また、同様に端子１４の側面１５において高い密着性が得られるので、端子１４の側面１５からフィルム２が剥がれることも防止される。一方、載置面となる底面１１においては側面１２、１３や上面１０よりも厚いフィルム２が被覆されるため、外的接触に対する高い耐久性が得られる。尚、長辺側の側面１３におけるフィルム２の厚さの方が短辺側の側面１２におけるフィルム２の厚さよりも薄くなる。
【００２０】
ここで、フィルム２は、従来公知のフィルムを用いることができる。フィルム２は、通常、無色透明又は有色透明の単層又は複層の樹脂フィルムが用いられ、その材質としては、例えば、ポリエチレン、ポリプロピレン、エチレン−プロピレン共重合体等のポリオレフィン系樹脂；ポリエチレンテレフタレート等のポリエステル系樹脂；ナイロン等のポリアミド系樹脂；エチレン−酢酸ビニル共重合体（ＥＶＡ）；エチレン−ビニルアルコール共重合体（ＥＶＯＨ）；軟質塩化ビニル；等の熱可塑性樹脂が挙げられる。中でも好ましくは、表層及び内層がポリオレフィン系樹脂フィルム、中間層がポリアミド系樹脂フィルムからなる三層構造のフィルムである。尚、フィルムは、一般にシートと呼ばれるものを含む。
【００２１】
その材質、構造の一例について説明すると、本実施形態において使用されているフィルム２は図５に示すように多層構造、具体的には三層構造のものであり、ポリエチレン系樹脂フィルムからなる外層２０及び内層２１と、外層２０及び内層２１を補強するための補強層としてのナイロン系樹脂フィルムからなる中間層２２とから構成されている。外層２０及び内層２１は同一厚さであって、中間層２２はそれよりも薄く、外層２０及び内層２１の厚さは例えば２０〜１５０μｍ程度、中間層２２の厚さは例えば１０〜５０μｍ程度とすることが好ましく、フィルム２の全厚としては例えば５０〜４００μｍ程度とすることが好ましい。このように内層２１と外層２０がポリエチレン系樹脂フィルムから構成されているので、フィルム２の両面の何れも内側として使用することができ、フィルム２の表裏の管理が不要となり、製造が容易になる。そして、フィルム２の内面がポリエチレン系樹脂フィルムから構成されるので、電池１の表面に高い密着性で密着する。しかも、補強層としてのナイロン系樹脂フィルムを備えているのでポリエチレン系樹脂フィルムからなる単層構造に比してフィルム２が破れにくくなる。特に、電池１の側面１２、１３や上面１０においてはフィルム２の被覆前の当初厚さに対して３０％〜６５％程度まで引き伸ばされて薄くなることもあるので、補強層としてのナイロン系樹脂フィルムを備えることで、電池１の側面１２、１３や上面１０におけるフィルム２の破れを防止することができる。更に、補強層としてのナイロン系樹脂フィルムが内外二つのポリエチレン系樹脂フィルムでサンドイッチされているので、ポリエチレン系樹脂フィルムに比して伸びにくいナイロンフィルムが両ポリエチレン系樹脂フィルムの伸張に伴ってスムーズに伸びることになり、フィルム２に皺等が生じにくい。また、ナイロン系樹脂フィルムをポリエチレン系樹脂フィルムよりも薄くしているので、フィルム２の加熱時間も短縮できる。
【００２２】
尚、中間層２２は、一層ではなく二層以上設けてもよい。更に、ポリエチレン系樹脂フィルムの単層構造としてもよい。また、被包装物の用途によっては、耐熱性を付与することが好ましく、公知の難燃剤を練りこんだり、コーティングしたりしたフィルムを使用してもよい。このように種々の材質、構造のフィルム２を使用することができ、いわゆるスキンパックと称される包装形態に使用されるフィルムも好適である。
【００２３】
以上のように構成されたフィルム被覆物品は電池１の表面全体がその端子１４の上面１６を除いてフィルム２で被覆されているので、傷等から電池１の表面を保護することができるうえに、防水性も確保される。特に、底面１１におけるフィルム２の厚さが最も厚いので、フィルム被覆物品を設置する面との擦れにも強いという利点がある。更に、上面１０側よりも底面１１側の方がフィルム２の厚さが相対的に厚くなっているので、特に傷つきやすい電池１の下部を効果的に保護することができると共に、設置場所が浸水したとしても高い防水性能が発揮される。一方、電池１の上面１０側はバキューム口であってフィルム２の開口端でもあるが、フィルム２の上面１０側は底面１１側に比して薄く密着性に優れているので、フィルム２が開口端から剥がれることも防止される。しかも端子１４の周囲には内面密着部１７が形成されているので、フィルム２の電池１からの剥離がより一層確実に防止される。また、端子１４の上面１６は露出しているので、他の部材との接続作業も容易である。
【００２４】
尚、本実施形態では電池１の上面１０から端子１４が大きく突出していたが、図６のように上面１０に薄い端子１４を備えている場合にも適用できる。その場合には電池１を天地逆向きとした状態で端子１４の下側に支持台を位置させることにより、端子１４がフィルム２で被覆されないようにする。尚、支持台の上面を電池１の上面１０よりも小型とすることで、電池１の上面１０のうち周縁部のみにフィルム２を被覆密着させて、電池１の上面１０の中央部を露出部とすることができる。このようにフィルム２の内面同士が密着した内面密着部１７を備えていない態様とすることもできる。
【００２５】
また、上記実施形態では物品として車載用の電池１を例に説明したが、本発明は各種の物品に適用可能であり、例えば図７のようなスプレー缶３０にも適用可能である。該スプレー缶３０は、金属製の本体部３１を備え、上部には内容物を外部に放出するための操作部３２を備えている。該スプレー缶３０の大部分がフィルム２で被覆されている。このスプレー缶３０の場合、スプレー缶３０を軸線方向と直交する方向に投影したときの投影面積に対して、スプレー缶３０を軸線方向に投影したときの投影面積の方が小さい。従って、スプレー缶３０の軸線方向をバキューム方向とすることにより、スプレー缶３０の周側面３３がバキューム方向に対して側方に位置することになり、フィルム２が深絞り状態となって主たるフィルム密着保持面である周側面３３に密着することになる。更に、操作部３２側をバキューム側とすることにより、本体部３１の上端部と操作部３２を除くそれ以外の表面全体がフィルム２で被覆され、操作部３２は露出部となる。このようにしてスプレー缶３０をフィルム２で被覆すれば、本体部３１を錆びから保護することができる。特に、底部３４におけるフィルム２の厚さが厚いので、底部３４の錆付き防止に効果が大きい。また、操作部３２が露出しているので、別途開封作業を行って操作部３２を露出させる必要もない。尚、本体部３１の全体をフィルム２で被覆してもよい。
【００２６】
更に、図８のような電球４０をフィルム２で被覆することもできる。この電球４０の場合、口金４１の軸線方向と直交する方向に電球４０を投影したときの投影面積に対して、口金４１の軸線方向に電球４０を投影したときの投影面積の方が小さい。従って、口金４１の軸線方向をバキューム方向とすることにより、電球４０のガラス部４２の周側面４２ａがバキューム方向に対して側方に位置することになり、フィルム２が深絞り状態となって主たるフィルム密着保持面であるガラス部４２の周側面４２ａに密着することになる。更に、口金４１側をバキューム側とすることにより、電球４０のガラス部４２の大部分をフィルム２で被覆することができてガラス部４２の破損を防止することができ、特に、ガラス部４２の頂部４２ｂにおいてフィルム２の厚さが最も厚くなるので、その頂部４２ｂにおける破損を効果的に防止することができる。また、他の部材との接続部である口金４１をフィルム２で被覆せずに露出部として露出させることができる。
【００２７】
また、図９のように本５０をフィルム２で被覆することもできる。本５０の場合には、その表表紙５１と裏表紙５２と背表紙５３が最も保護したい面である。従って、表表紙５１や裏表紙５２をバキューム側とするのではなく、表表紙５１と裏表紙５２が主たるフィルム密着保持面となるように、天部５４もしくは地部をバキューム側としてフィルム２を被覆する。特に、天部５４には値札やしおり等の差し込み片５６が差し込まれることが多いので、天部５４を露出部とすべく、天部５４をバキューム側としてフィルム２を天地方向に引き伸ばしながら表表紙５１と裏表紙５２に密着させることが好ましい。尚、前小口部５７をバキューム側としてフィルム２を背表紙５３側から前小口部５７に向けて引き伸ばしつつ密着させるようにしてもよい。何れにしても、表表紙５１と裏表紙５２が主たるフィルム密着保持面となるように表表紙５１と裏表紙５２がバキューム方向に対して側方に位置するようにする。
【符号の説明】
【００２８】
１    電池（物品）
２    フィルム
１０    上面
１１    底面
１２    短辺側の側面
１３    長辺側の側面
１４    端子
１５    側面
１６    上面
１７    内面密着部
２０    外層
２１    内層
２２    中間層
３０    スプレー缶（物品）
３１    本体部
３２    操作部
３３    周側面
３４    底部
４０    電球（物品）
４１    口金
４２    ガラス部
４２ａ  周側面
４２ｂ  頂部
５０    本（物品）
５１    表表紙
５２    裏表紙
５３    背表紙
５４    天部
５６    差し込み片
５７    前小口部
【図１】
2013252894.tif 000003
【図２】
2013252894.tif 000004
【図３】
2013252894.tif 000005
【図４】
2013252894.tif 000006
【図５】
2013252894.tif 000007
【図６】
2013252894.tif 000008
【図７】
2013252894.tif 000009
【図８】
2013252894.tif 000010
【図９】
2013252894.tif 000011